(57)【要約】【課題】２画面液晶表示装置に用いた際に観察領域ごとに好適な表示品質を維持することができる２画面液晶表示装置用サイドライト型バックライト及びこのサイドライト型バックライトを備えた２画面液晶表示装置を提供すること。【解決手段】本発明の２画面液晶表示装置用サイドライト型バックライト３は、異なる２つの観察領域に異なる画像表示を行うことが可能な２画面液晶表示装置１に用いられ、矩形状の導光板１４の対向する２つの側壁に第１、第２の光源１３Ａ、１３Ｂが配設されたものであって、第１の光源１３Ａからの出射光は一方の観察領域を中心に光を照射するように指向性が付与されており、第２の光源１３Ｂからの出射光は他方の観察領域を中心に光を照射するように指向性が付与されており、第１、第２の光源１３Ａ、１３Ｂはそれぞれ異なる特性を備えている。【選択図】図２
2008096555.tif 000002
【特許請求の範囲】
【請求項１】
異なる２つの観察領域に異なる画像表示を行うことが可能な２画面液晶表示装置に用い
られ、矩形状の導光板の対向する２つの側壁に第１、第２の光源が配設されたサイドライ
ト型バックライトであって、
前記第１の光源からの出射光は一方の観察領域を中心に光を照射するように指向性が付
与されており、
前記第２の光源からの出射光は他方の観察領域を中心に光を照射するように指向性が付
与されており、
前記第１、第２の光源はそれぞれ異なる特性を備えるものであることを特徴とする２画
面液晶表示装置用サイドライト型バックライト。
【請求項２】
前記第１の光源は前記第２の光源よりも高い輝度特性を備えるものであり、前記第２の
光源は前記第１の光源よりも高い色再現特性を備えるものであることを特徴とする請求項
１に記載の２画面液晶表示装置用サイドライト型バックライト。
【請求項３】
前記第１の光源は、擬似白色ＬＥＤからなることを特徴とする請求項２に記載の２画面
液晶表示装置用サイドライト型バックライト。
【請求項４】
前記第１の光源は、擬似白色ＬＥＤと赤色ＬＥＤとからなることを特徴とする請求項２
に記載の２画面液晶表示装置用サイドライト型バックライト。
【請求項５】
前記第２の光源は、赤色発光蛍光体及び緑色発光蛍光体を用いた青色ＬＥＤ又は冷陰極
蛍光管からなることを特徴とする請求項２に記載の２画面液晶表示装置用サイドライト型
バックライト。
【請求項６】
前記請求項１〜５の何れかに記載の２画面液晶表示装置用サイドライト型バックライト
と、
異なる２つの観察領域に異なる画像を表示するため２つの画像が表示された液晶表示パ
ネルと、
異なる２つの観察領域に異なる画像だけが観察されるように、前記液晶表示パネルに表
示された２つの画像の内、対応する領域以外の画像を遮光する遮光手段と、を備えたこと
を特徴とする２画面液晶表示装置。
【発明の詳細な説明】
【技術分野】
【０００１】
本発明は２画面液晶表示装置用サイドライト型バックライト及びこれを備えた２画面液
晶表示装置に関し、特に、第１の観察領域に第１の画像を提供し、第２の観察領域に第２
の画像を提供するいわゆる２画面液晶表示装置において、第１、第２の観察領域のそれぞ
れに好適な表示を実現できるサイドライト型バックライト及びこのサイドライト型バック
ライトを備えた２画面液晶表示装置に関する。
【背景技術】
【０００２】
従来より、テレビ受像機や情報機器等に搭載される表示装置として、表示用の液晶パネ
ル（ＬＣＤ；Liquid Crystal Display、以降、「ＬＣＤ」と略称する）を用いた液晶表示
装置等が知られている。液晶表示装置等の表示装置に関しては、近年の情報機器等の多様
化に伴い、第１の観察領域に第１の画像を提供し、第２の観察領域に第２の画像を提供す
る２画面表示装置が知られている。
【０００３】
この従来例に係る２画面表示装置について、図面を参照して説明する。図４は従来例に
係る表示装置を説明する断面図である。図４に示すように、従来例に係る表示装置には、
第１の画像を表示する第１の画素列５１ａと第２の画像を表示する第２の画素列５１ｂと
が交互に配置されてなる表示パネル５２が配置されている。ここで、第１及び第２の画素
列５１ａ、５１ｂは、例えば液晶層を備えた画素からなる。また、第１及び第２の画素列
５１ａ、５１ｂの各画素間には、いわゆるブラックマトリクス５３が形成されている。そ
して、表示パネル５２の上方には、不図示のガラス基板等の透明基板を介して、遮光機能
を有した金属もしくは樹脂等からなる遮光板５４が配置されている。遮光板５４は、第１
の画素列５１ａ及び第２の画素列５１ｂに対して平行に交互に延びる遮光部５５及び開口
部５６を備えている。
【０００４】
次に、上記構成により２画面表示が実現される仕組みについて説明する。図４に示すよ
うに、表示パネル５２の真正面の位置Ｃから左方向に離れた第１の観察領域Ａには、遮光
板５４の開口部５６を通して第１の画素列５１ａから第１の画像が提供される。このとき
、第２の画素列５１ｂの第２の画像は、遮光板５４の遮光部５５により遮られるため、第
１の観察領域Ａには提供されない。
【０００５】
一方、表示パネル５２の真正面の位置Ｃから右方向に離れた第２の観察領域Ｂには、遮
光板５４の開口部５６を通して第２の画素列５１ｂから第２の画像が提供される。このと
き、第１の画素列５１ａの第１の画像は、遮光板５４の遮光部５５により遮られるため、
第２の観察領域Ｂには提供されない。こうして、第１の観察領域Ａに第１の画像を提供し
、第２の観察領域Ｂに第２の画像を提供する２画面表示が行われる。なお、本願に関連す
る技術文献としては、以下の特許文献１が挙げられる。
【０００６】
また、上述のような２画面表示装置として、バックライトに所定の指向性を持たせるこ
とにより、２つの観察領域の表示／非表示を制御する技術も特許文献に紹介されている（
例えば、下記特許文献２参照）。図５は下記特許文献２に開示されているサイドライト型
面光源装置を周辺構成と共に示す断面図である。
【０００７】
下記特許文献２に開示されたサイドライト型面光源装置６０は、図５に示すように、第
１の光源６１から出射された第１の照明光６２を端面６３Ａから入射し、この第１の照明
光６２を屈曲して出射面６３Ｂより出射する第１の導光板６３と、第１の導光板６３に重
ね合わされて配置され、第２の光源６４から出射された第２の照明光６５を端面６６Ａか
ら入射すると共に、第１の導光板６３から出射された第１の照明光６２を出射面６６Ｃと
対向する裏面６６Ｂより入射し、第１及び第２の照明光６２、６５を出射面６６Ｃより出
射する第２の導光板６６とを備え、第１の照明光６２による第１の出射方向と、第１の出
射方向と異なる第２の照明光６５による第２の出射方向とに指向性を有するものである。
なお、第１、第２の導光板６３、６６はそれぞれ断面楔型形状の板状部材からなりこれら
の端面６３Ａ、６６Ａが対向するように重ね合わされることにより、第１、第２の光源６
１、６４から出射される第１、第２の照明光６２、６５に所望の指向性が得られるもので
ある。そして、このサイドライト型面光源装置６０の上面にプリズムシート、拡散板等を
載置した後、液晶表示パネルを載置することによって液晶表示装置が組み立てられる。こ
の液晶表示装置において、第１、第２の光源６１、６４の何れかをオフすれば、対応する
出射方向からの表示画像は得られなくなり、観察領域によって表示／非表示の制御が行え
るようになる。
【特許文献１】特開２００５−２５８０１６号公報
【特許文献２】特開平１１−２７３４３８号公報（請求項１、段落［００２３］、［００２６］、図２）
【発明の開示】
【発明が解決しようとする課題】
【０００８】
ところで、上記従来例の２画面表示装置を、例えば車載用のカーナビゲーション装置と
して車両に搭載させた場合には、表示画面の一方の観察領域を運転席側へ向けてナビゲー
ション画面を表示し、他方の観察領域を助手席側に向けてＴＶ画像やＤＶＤの映像等を表
示するといった使用形態が考えられる。このような場合には、観察領域によって要求され
る光源の品質に差異が生じる場合がある。すなわち、運転席側はナビゲーション画面を表
示するために色再現特性よりも高輝度特性への要求が高い。また、ナビゲーション画面で
は運転者に警告表示を行う場合に、警告を強調するために赤色表示を行いたいという要求
がある。一方、助手席側はＤＶＤの映像、例えば映画等を表示するために、高輝度特性よ
りもできるだけ色再現特性が良いほうが好まれる。
【０００９】
しかしながら、上記特許文献２に開示されたサイドライト型面光源装置６０の第１、第
２の光源６１、６４はともに冷陰極蛍光管が使用されており、２つの観察領域ごとに異な
る表示品質で表示することについては何ら考慮されていない。
【００１０】
本発明者らは上記課題に鑑み、２つの観察領域によって異なる要求、すなわち高輝度化
及び高い赤色表示、あるいは高い色再現特性を得られるようなバックライトを種々検討し
た結果、観察領域によって異なる光源を使用したバックライトを用いれば、上記課題を解
決することができることを見出し、本発明に至ったものである。
【００１１】
すなわち、本発明の目的は２画面液晶表示装置に用いた際に観察領域ごとに好適な表示
品質を維持することができる２画面液晶表示装置用サイドライト型バックライト及びこの
サイドライト型バックライトを備えた２画面液晶表示装置を提供することにある。
【課題を解決するための手段】
【００１２】
上記目的を達成するために、本願発明の請求項１に記載の２画面液晶表示装置用サイド
ライト型バックライトの発明は、異なる２つの観察領域に異なる画像表示を行うことが可
能な２画面液晶表示装置に用いられ、矩形状の導光板の対向する２つの側壁に第１、第２
の光源が配設されたサイドライト型バックライトであって、
前記第１の光源からの出射光は一方の観察領域を中心に光を照射するように指向性が付
与されており、
前記第２の光源からの出射光は他方の観察領域を中心に光を照射するように指向性が付
与されており、
前記第１、第２の光源はそれぞれ異なる特性を備えるものであることを特徴とする。
【００１３】
また、請求項２に記載の発明は、請求項１に記載の２画面液晶表示装置用サイドライト
型バックライトにおいて、前記第１の光源は前記第２の光源よりも高輝度特性を備えるも
のであり、前記第２の光源は前記第１の光源よりも高い色再現特性を備えるものであるこ
とを特徴とする。
【００１４】
また、請求項３に記載の発明は、請求項２に記載の２画面液晶表示装置用サイドライト
型バックライトにおいて、前記第１の光源は、擬似白色ＬＥＤからなることを特徴とする
。
【００１５】
また、請求項４に記載の発明は、請求項２に記載の２画面液晶表示装置用サイドライト
型バックライトにおいて、前記第１の光源は、擬似白色ＬＥＤと赤色ＬＥＤとからなるこ
とを特徴とする。
【００１６】
また、請求項５に記載の発明は、請求項２に記載の２画面液晶表示装置用サイドライト
型バックライトにおいて、前記第２の光源は、赤色発光蛍光体及び緑色発光蛍光体を用い
た青色ＬＥＤ又は冷陰極蛍光管からなることを特徴とする。
【００１７】
また、請求項６に記載の２画面液晶表示装置の発明は、前記請求項１〜５の何れかに記
載の２画面液晶表示装置用サイドライト型バックライトと、
異なる２つの観察領域に異なる画像を表示するため２つの画像が表示された液晶表示パ
ネルと、
異なる２つの観察領域に異なる画像だけが観察されるように、前記液晶表示パネルに表
示された２つの画像の内、対応する領域以外の画像を遮光する遮光手段と、を備えたこと
を特徴とする。
【発明の効果】
【００１８】
本発明は上記構成を備えることにより、以下に示すような優れた効果を奏するものであ
る。すなわち、本発明の２画面液晶表示装置用サイドライト型バックライトの発明によれ
ば、入射方向に沿って存在する２つの異なる観察領域の内の、一方の観察領域を中心に出
射されるように指向性を備える第１の光源と、他方の観察領域を中心に出射されるように
指向性を備える第２の光源とを使用するとともに、この第１、第２の光源としてそれぞれ
特性（スペクトル）の異なるものを使用することにより、観測領域ごとに異なるニーズに
合わせて光源を適宜変更することで、２つの観測領域それぞれでニーズにあった表示品質
の表示を行うことができる。
【００１９】
また、請求項２の発明によれば、例えば車載用の２画面液晶表示装置にこのサイドライ
ト型バックライトを用いるときには、ナビゲーション画面を表示することが多い運転席側
に指向性を有する第１の光源を第２の光源に比べて高い輝度特性を備えるものにし、ＤＶ
Ｄの映像などを表示することが多い助手席側に指向性を有する第２の光源を第１の光源に
比べて高い色再現特性を備えるものにすることで、表示される内容に合った表示品質を維
持できるようになる。
【００２０】
また、請求項３の発明によれば、第１の光源として擬似白色ＬＥＤを用いれば特に高い
輝度特性が得られるので、特に明るい表示が要求される場合に好適な表示が可能となる。
【００２１】
また、請求項４の発明によれば、第１の光源として擬似白色ＬＥＤと赤色ＬＥＤをパッ
ケージングしたものを用いれば高い輝度特性が得られるとともに、ナビゲーション画面中
の運転者への警告表示等に多く用いられる赤色表示も鮮明に表示することができるように
なる。
【００２２】
また、請求項５の発明によれば、第２の光源として蛍光体に赤色発光蛍光体及び緑色発
光蛍光体を用いた青色ＬＥＤを用いれば赤（Ｒ）、緑（Ｇ）、青（Ｂ）の３色で表示でき
るので特に高い色再現特性が得られ、冷陰極蛍光管を用いれば色再現特性の高い表示がで
きる。
【００２３】
また、請求項６の２画面液晶表示装置の発明によれば、上述したサイドライト型バック
ライトを２画面液晶表示パネルと組み合わせることで、上述した効果が得られる２画面液
晶表示装置を提供することができるようになる。
【発明を実施するための最良の形態】
【００２４】
以下、図面を参照して本発明の最良の実施形態を説明する。但し、以下に示す実施形態
は、本発明の技術思想を具体化するための２画面液晶表示装置用サイドライト型バックラ
イト及びこれを備えた２画面液晶表示装置を例示するものであって、本発明をこれらに特
定することを意図するものではなく、特許請求の範囲に含まれるその他の実施形態のもの
も等しく適応し得るものである。
【実施例１】
【００２５】
図１は本発明の一実施形態に係る２画面液晶表示装置を示す平面図、図２は図１のＡ−
Ａ線で切断した概略断面図である。
本発明の２画面液晶表示装置１は、図１及び図２に示すように、左右に異なる画像を表
示する２画面液晶表示パネル２と、この２画面液晶表示パネル２の背面に配設されるサイ
ドライト型バックライト３と、これらを一体に保持する前面枠４と、から構成されている
。そして、この２画面液晶表示装置１は、従来例の図４に示したように、図１の左右方向
に異なる２つの観察領域が設定されており、２つの観察領域には異なる画像表示がなされ
るようになっている。なお、２画面液晶表示装置１は異なる２つの観測領域で常に異なる
画像を表示する必要はなく、２つの観察領域で同じ画像を表示してもよい。つまり、２画
面液晶表示装置１は、２つの異なる観察領域で同じ画像を表示するのか別々の画像を表示
するのか選択によって切り替えることができるようになっているものである。
【００２６】
このうち、サイドライト型バックライト３は、図２に示すように、底面が矩形状で、そ
の四方の端部に所定高さの側壁を有する外装ケース１１と、外装ケース１１の内面に配設
された反射シート１２と、この外装ケース１１の側壁のうち、対向する一対の側壁内面に
沿って設けられた光源１３Ａ、１３Ｂと、外装ケース１１内であって、この光源１３Ａ、
１３Ｂの間に配設される矩形板状の導光板１４と、導光板１４の上面に配設される矩形状
のプリズムシート１５と、このプリズムシート１５の上面に配設される矩形状の拡散板１
６と、上述した各部材を外装ケース１１内に固定するための中間枠１７と、から構成され
ている。
【００２７】
外装ケース１１は肉薄な金属材から構成され、反射シート１２は外装ケース１１の内側
全面に亘って取り付けられたＰＥＴフィルム等からなる高い光反射率を有するシート材か
ら構成されている。また、プリズムシート１５は導光板１４を介して照射される照射光１
８Ａ、１８Ｂの指向方向を補正するものであり、拡散板１６は光拡散性のシート材から構
成され、中間枠１７は合成樹脂等からなる額縁状の部材であって、その内面には拡散板１
６の上面外周部を支持するための突起１７ａが設けられているとともに、その内側上面に
は２画面液晶表示パネル２の外周縁が載置される段部１７ｂが設けられている。
【００２８】
光源１３Ａ、１３Ｂは、それぞれ特性、すなわち発光スペクトルの異なる発光ダイオー
ド（Light Emitting Diode、以下単にＬＥＤという）が外装ケース１１の対向する側壁に
沿って複数個配設されてなり、その照射面がそれぞれ導光板１４の一側端面に向かうよう
に外装ケース１１内に配設される。そして、この２つのＬＥＤ１３Ａ、１３Ｂのうち、一
方の観察領域を照光するＬＥＤ１３Ａには擬似白色ＬＥＤ（青色ＬＥＤチップとそれによ
って励起される黄色蛍光体によって白表示を行うもの）を用い、他方の観察領域を照光す
るＬＥＤ１３Ｂには赤色発光蛍光体及び緑色発光蛍光体を用いた青色ＬＥＤを用いると好
ましい。なお、擬似白色ＬＥＤは青色の波長域の強度が緑色や赤色の波長域の強度に比べ
際立って高くなっており、発光効率も高く高輝度特性が得られることが知られている。一
方赤色発光蛍光体及び緑色発光蛍光体を用いた青色ＬＥＤは赤色、青色、緑色のそれぞれ
の波長域での強度が大体均等で、Ｒ、Ｇ、Ｂの３色を用いて発光するため、自然光により
近く色再現特性が高いことが知られている。
【００２９】
導光板１４は、外装ケース１１内に収納可能な肉厚を備える板状体からなり、例えばポ
リメチルメタクリレート（ＰＭＭＡ）からなるマトリックス中に、これと屈折率の異なる
透光性の微粒子を一様に分散混入して形成される。そして、その底面には反射シート１２
が当接し、一方の対向する側壁面にはＬＥＤ１３Ａ、１３Ｂがその照射面が当接するよう
に配設されている。なお、ＬＥＤ１３Ａ、１３Ｂから出射した光は上記特許文献２の従来
技術にあるように断面楔状の導光板を二つ用いることで、異なる領域へそれぞれ出射でき
るように指向性を付与してもよいし、一つの導光板で導光板底面の形状を変えることで異
なる領域へそれぞれ出射できるように指向性を付与してもよい。また反射シート１２のパ
ターンを工夫することで、ＬＥＤ１３Ａ、１３Ｂからの出射光に指向性を付与してもよい
。なおＬＥＤ１３Ａ、１３Ｂから出射した全ての光が各々別の領域へ向かうように指向性
を付与されている必要はなく、一方の光源から出射した光の大部分が一方の領域へ向かう
ように指向性を付与され、他方の光源から出射した光の大部分が他方の領域へ向かうよう
に指向性を付与されていればよい。これは一方の光源から出射した光の一部は、バックラ
イトを構成する部材で反射するなどして他方の領域へ向かうものがどうしても存在するか
らである。
【００３０】
本発明の２画面液晶表示装置１の備える２画面液晶表示パネル２は、上述した従来例と
同様に、第１の画像を表示する第１の画素列と第２の画像を表示する第２の画素列とが交
互に配置されてなる液晶表示パネルの上方に、不図示のガラス基板等の透明基板を介して
、遮光機能を有した金属もしくは樹脂等からなり、第１の画素列及び第２の画素列に対し
て平行に交互に延びる遮光部及び開口部を備えた遮光板が配置されたものを用いる。なお
、遮光板は、一方の観察領域で他方の画素列を遮光して一方の画素列だけが見えるように
し、他方の観察領域では一方の画素列を遮光して他方の画素列だけが見えるようにするも
のであり、例えば、液晶表示パネルとは別の表示パネルを用意して、このパネルで光を遮
光する部分と光を透過する部分を表示状態によって実現するものでもよい。つまり対応す
る領域の画像だけが観察されるように、対応する領域の画像以外を遮光することができる
手段を有するものであれば適用可能である。なお、その２画面表示方法は上述した従来例
のものと同一であるので説明を省略する。
【００３１】
上述した各構成部品からなる２画面液晶表示装置１を組み立てる際には、先ず、外装ケ
ース１１の内面に反射シート１２を配設し、続いてこの外装ケース１１内の一方の対向す
る側壁面に当接するように光源１３Ａ、１３Ｂを配設し、この両光源１３Ａ、１３Ｂの間
に導光板１４を配設する。次に導光板１４の上面にプリズムシート１５及び拡散板１６を
順に載置し、外装ケース１１の上面を覆うように中間枠１７を取り付けて、上記の各部品
を固定する。そして、中間枠１７の段部１７ｂにその外縁部が載置されるように２画面液
晶表示パネル２が固定され、最後に前面枠４を取り付けることにより、組立がなされる。
【００３２】
このようにして組み立てられた２画面液晶表示装置１においては、一方の光源１３Ａか
ら照射される照射光１８Ａは、導光板１４内に入射し、反射シート１２に反射したのち、
プリズムシート１５でその指向方向が調整されて、図２中の右方向に出射されることにな
り、反対に他方の光源１３Ｂから照射される照射光１８Ｂは、導光板１４内に入射し、反
射シート１２に反射したのち、プリズムシート１５でその指向方向が調整されて、図２中
の左方向に出射されることになる。これによって、２つの光源１３Ａ、１３Ｂごとにその
照射方向が異なることになる。
【００３３】
なお、２画面液晶表示パネル２から出射される方向の異なる２つの照射光１８Ａ、１８
Ｂは、その出射方向が２画面液晶表示パネル２の正面方向へ垂直に延ばした垂線（図示省
略）に対して所定角度、例えば３０°の関係となるようになっている。これは２つの観測
領域から見た場合に最も高輝度特性を得られる角度であり、この角度は使用用途等に合わ
せて任意に設定を変更することが可能である。
【００３４】
上述した２画面液晶表示装置１は、特に車載用のナビゲーション装置を備えた液晶表示
装置として用いられる場合に最も有効である。すなわち、運転席側にはナビゲーション画
面を表示し、助手席側にはＴＶ画像やＤＶＤの映像を表示する場合、運転席側に表示され
るナビゲーション画面は高い色再現特性よりもはっきりとした表示がなされていることが
要求されるものであるので、光源１３Ａのように擬似白色ＬＥＤを用いて表示画面の輝度
を高くし、助手席側に表示されるＤＶＤの映像、詳しくは映画等は高い色再現特性が要求
されるものであるので、光源１３Ｂのように赤色発光蛍光体及び緑色発光蛍光体を用いた
青色ＬＥＤを用いて色再現特性を高くするといった、観測領域ごとのニーズに合った表示
品質の調節を行うことができるようになる。
【００３５】
上記実施例においては、ＬＥＤ１３Ａとしては擬似白色ＬＥＤを用い、ＬＥＤ１３Ｂと
しては赤色発光蛍光体及び緑色発光蛍光体を用いた青色ＬＥＤを用いた例について説明し
たが、これに限定されるものではない。そこで、以下には上述した実施例の１つの変形例
として、一方の光源には擬似白色ＬＥＤの他に赤色ＬＥＤをパッケージングした光源１３
Ａ'を用い、他方の光源１３Ｂ'には冷陰極蛍光管を用いた例を説明する。なお、図３は本
発明の変形例に係る２画面液晶表示装置の断面図である。また、本変形例の２画面液晶表
示装置１'は、上記実施例の２画面液晶表示装置１の光源を変更したのみであるので、同
一の構成については同一の符号を付してその説明を省略する。
【００３６】
この変形例に係る２画面液晶表示装置１'は、図３に示すように、サイドライト型バッ
クライト３'として、一方の光源１３Ａ'には擬似白色ＬＥＤと赤色ＬＥＤをパッケージン
グしたものを用い、他方の光源１３Ｂ'には冷陰極蛍光管１９Ａを用いている。なお、他
方の光源１３Ｂ'は、冷陰極蛍光管１９Ａとその照射面を除く周囲を囲むように配設され
たリフレクタ１９Ｂとで構成されている。このような構成とすることにより、一方の光源
１３Ａ'としては、通常は擬似白色ＬＥＤで表示を行い、緊急事態は白色ＬＥＤに加えて
赤色ＬＥＤを使用したり、赤色ＬＥＤだけを使用したりすることで、赤表示を鮮明に行う
ことができる。これは例えばナビゲーション画面を表示する際に警告表示として赤色を使
用する際にも鮮明な表示が可能となり、運転者の認識をより一層高めることができる。ま
た、他方の光源１３Ｂ'としては、複数のＬＥＤを配設することなく冷陰極蛍光管１９Ａ
を用いることにより、高い色再現特性を備えた画面表示を実現できる。
【図面の簡単な説明】
【００３７】
【図１】図１は本発明の一実施形態に係る２画面液晶表示装置を示す平面図である。
【図２】図２は図１のＡ−Ａ線で切断した概略断面図である。
【図３】図３は本発明の変形例に係る２画面液晶表示装置の断面図である。
【図４】図４は従来例に係る表示装置を説明する断面図である。
【図５】図５は従来技術のサイドライト型面光源装置を周辺構成と共に示す断面図である。
【符号の説明】
【００３８】
１              ２画面液晶表示装置
２              ２画面液晶表示パネル
３              サイドライト型バックライト
４              前面枠
１１            外装ケース
１２            反射シート
１３Ａ、１３Ａ'、１３Ｂ、１３Ｂ'  光源（ＬＥＤ）
１４            導光板
１５            プリズムシート
１６            拡散板
１７            中間枠
１８Ａ、１８Ｂ  照射光
１９Ａ          冷陰極蛍光管
１９Ｂ          リフレクタ
【図１】
2008096555.tif 000003
【図２】
2008096555.tif 000004
【図３】
2008096555.tif 000005
【図４】
2008096555.tif 000006
【図５】
2008096555.tif 000007